(57)【要約】【課題】複数方向の解析値からなる解析結果を１つの色表示で可視化する。【解決手段】解析データ入力手段１１は、解析対象物の形状情報と方向ごとの解析値からなる解析情報とを入力する。色要素変換手段１２は、解析情報の各方向を所定の色空間座標軸に割り当て、算出した変換情報をもとに解析値を色要素値に変換する。色表示データ作成手段１３は、解析対象物の形状と色要素値を成分とする色とを用いて記述した画像データを作成する。画像データが表示装置２３で表示され解析結果が可視化される。ＲＧＢ値取得手段１４は、表示された画像データ上で特定された位置の色要素値を取得し、解析概算値算出手段１５は、色要素値から方向軸ごとの値を逆変換して解析概算値を求める。解析概算値表示処理手段１６は、特定位置の解析概算値を表示装置２３に表示する。【選択図】          図１
2004295293.tif 000002
【特許請求の範囲】
【請求項１】
解析結果を色を用いて可視化する解析結果可視化処理を、コンピュータに実行させるためのプログラムであって、
解析対象物の形状情報および複数の方向を持つ解析情報を取得する解析情報取得処理と、
前記解析情報の各方向軸を所定の色空間座標軸に割り当て、前記解析情報の方向軸ごとに、前記解析情報の解析値を前記色空間座標軸の色要素値に変換する色要素変換処理と、
前記形状情報および前記色要素値を成分とする色を用いて、前記解析対象物の解析情報を色表示する画像データを作成する色表示データ作成処理とを、
コンピュータに実行させる
ことを特徴とする解析結果可視化処理プログラム。
【請求項２】
請求項１に記載の解析結果可視化処理プログラムにおいて、
前記解析情報取得処理では、３次元空間の方向軸ごとの解析値を持つ解析情報を取得する処理を、
前記色要素変換処理では、前記解析情報の前記方向軸を、ＲＧＢ値で定義される色空間数値化モデルの各色空間座標軸に割り当てる処理を、
コンピュータに実行させる
ことを特徴とする解析結果可視化処理プログラム。
【請求項３】
請求項１に記載の解析結果可視化処理プログラムにおいて、
前記色要素変換処理では、前記方向軸ごとに、前記解析値の最大値および最小値の範囲を、対応する色空間座標軸の色要素値の範囲に対応させるための変換情報を算出し、前記変換情報にもとづいて前記解析値を前記色要素値に変換する処理を、
コンピュータに実行させる
ことを特徴とする解析結果可視化処理プログラム。
【請求項４】
請求項３に記載の解析結果可視化処理プログラムにおいて、
さらに、前記画像データ上で特定された位置の色要素値を取得し、前記色要素値から対応する方向軸の値を取り出し、前記変換情報を用いて、前記取り出した値から前記特定された位置の解析結果の概算値を算出する解析概算値算出処理と、
前記解析概算値を表示する解析概算値表示処理とを、
コンピュータに実行させる
ことを特徴とする解析結果可視化処理プログラム。
【請求項５】
請求項３に記載の解析結果可視化処理プログラムにおいて、
前記色表示データ作成処理では、前記画像データおよび前記変換情報とを対応づけて出力する処理を、
コンピュータに実行させる
ことを特徴とする解析結果可視化処理プログラム。
【発明の詳細な説明】
【０００１】
【発明の属する技術分野】
本発明は、シミュレーション結果などの解析結果の可視化処理技術に関する。本発明は、特に、方向性をもつ解析結果の可視化処理をコンピュータに実行させるための解析結果可視化処理プログラムに関する。
【０００２】
【従来の技術】
シミュレーション結果などの解析結果を可視化する方法として、解析対象を色によるコンター表示する手法がよく用いられている。
【０００３】
従来のコンター表示手法において、直応力、せん断応力、変位などの方向性を持つような物理量（解析情報）を可視化する場合には、一方向ごとの物理量を処理単位としていた。
【０００４】
例えば、直応力（σｘ、σｙ、σｚ）、せん断応力（τｘ、τｙ、τｚ）、変位（ｘ、ｙ、ｚ）など、３次元空間のＸＹＺ軸方向の３つの値を持つ物理量を可視化する場合に、ある一つの方向の値ごとに可視化処理を行いコンター表示画面を生成していた（非特許文献１参照）。
【０００５】
【非特許文献１】
室蘭工業大学工学部附属  情報メディア教育センター、
「ＭｉｃｒｏＡＶＳの手引き」、［ｏｎｌｉｎｅ］、１９９９年２月１日、
室蘭工業大学工学部附属  情報メディア教育センター
［２００２年１２月２６日検索］、
インターネット＜ｈｔｔｐ：／／ｗｗｗ．ｍｍｍ．ｍｕｒｏｒａｎ−ｉｔ．ａｃ．ｊｐ／ｇｕｉｄｅ／ｍａｖｓ／  ＞
【０００６】
【発明が解決しようとする課題】
従来、３次元空間のＸＹＺ軸方向に対応する３つの解析値を持つような解析結果を１つの色表示として可視化できる処理手法はなく、可視化された解析結果の色表示から、その解析結果の方向性を把握することはできなかった。
【０００７】
そのため、解析結果が可視化されている場合であっても、解析結果の方向性を把握するためには、ＸＹＺ軸の各方向の３つのコンター表示画面を相互に見比べて検討しなければならず、操作が煩雑かつ不便であり、また、解析結果の方向性の把握も容易ではなかった。
【０００８】
また、可視化された解析結果から方向性を十分に把握できないという状況を補うために、解析値を別個に表示（数値表示）させて検討しなければならず、操作がさらに煩雑なものとなってしまうという問題があった。
【０００９】
さらに、解析結果の数値表示のために、可視化のための画像データとは別個に解析値を保持しておく必要があり、データ記憶域の確保や処理負担の増加が問題となっていた。
【００１０】
本発明の目的は、上記の問題点に鑑み、方向性を持つような解析結果を、複数の方向の解析値から定まる１つの色で表示する解析結果可視化処理をコンピュータに実行させるためのプログラムを提供することである。
【００１１】
また、前記の可視化処理プログラムにより生成された画像データをもとに、特定された位置における解析結果の概算値を簡易かつ迅速に表示する解析結果可視化処理をコンピュータに実行させるためのプログラムを提供することである。
【００１２】
【課題を解決するための手段】
上記の目的を達成するため、本発明は、解析結果を色を用いて可視化する解析結果可視化処理を、コンピュータに実行させるためのプログラムであって、解析対象物の形状情報および複数の方向を持つ解析情報を取得する解析情報取得処理と、前記解析情報の各方向軸を所定の色空間座標軸に割り当て、前記解析情報の方向軸ごとに、前記解析情報の解析値を前記色空間座標軸の色要素値に変換する色要素変換処理と、前記形状情報および前記色要素値を成分とする色を用いて、前記解析対象物の解析情報を色表示する画像データを作成する色表示データ作成処理とを、コンピュータに実行させるものである。
【００１３】
コンピュータは、解析対象物のポリゴンデータなどの形状情報、および複数の方向軸（例えば、３次元空間のＸＹＺ軸）ごとの解析値を持つ解析情報を取得する。そして、前記解析情報の方向軸を、所定の色空間数値モデルの色空間座標軸（例えばＲＧＢ座標軸）に割り当て、前記解析情報の方向軸ごとに、解析値を対応する色空間座標軸の色要素値に変換する。そして、前記形状情報および前記色要素値を成分とする色を用いて、前記解析対象物の解析情報を色表示する画像データを作成し、表示装置に色表示させる。
【００１４】
従来では、方向を持つ解析結果を可視化する場合に、解析情報の各方向軸を処理単位として解析値を可視化していた。しかし、本発明では、解析情報の方向軸と色空間座標軸とを対応させ、複数の方向の解析値を持つ解析情報から変換した色要素値を成分として合成した色により解析情報を色表示する。
【００１５】
例えば、解析対象物のＸＹＺ軸の３つの値を持つ物理量（変位）をＲＧＢ値で表現する色空間を用いて可視化する場合に、Ｘ軸方向をＲ（Ｒｅｄ（赤））軸、Ｙ軸方向をＧ（Ｇｒｅｅｎ（緑））軸、およびＺ軸方向をＢ（Ｂｌｕｅ（青））軸にそれぞれ割り当て、解析値の最大値−最小値の範囲を各色空間座標軸の濃度階調の最大値−最小値に割り当てて色表示すると仮定する。
【００１６】
この場合に、解析結果を可視化した解析対象物の色表示の画面上で、赤系が強調されて表示されている部分は、Ｘ軸方向への変形が大きいことを意味し、白く表示されている部分は、Ｘ軸、Ｙ軸、Ｚ軸のいずれの方向とも変形が大きいことを意味し、黒く表示されている部分は、変形していないことを意味する。
【００１７】
複数の解析値を持つ解析情報を１つの画像データとして色表示することにより、ある解析結果について、より大きな値をとるのがどの方向であるかなどの認識、すなわち解析結果の方向性の認識がより容易に行えるようになる。
【００１８】
また、本発明は、上記の処理で構成される解析結果可視化処理プログラムの色要素変換処理において、前記方向軸ごとに、前記解析値の最大値および最小値の範囲を、対応する色空間座標軸の色要素値の範囲に対応させるための変換情報を算出し、前記変換情報にもとづいて前記解析値を前記色要素値に変換する処理を、コンピュータに実行させるものである。
【００１９】
さらに、本発明は、上記の処理で構成される解析結果可視化処理プログラムにおいて、前記画像データ上で特定された位置の色要素値を取得し、前記色要素値から対応する方向軸の値を取り出し、前記変換情報を用いて、前記取り出した値から前記特定された位置の解析結果の概算値を算出する解析概算値算出処理と、前記解析概算値を表示する概算値表示処理とを、コンピュータに実行させるものである。
【００２０】
コンピュータは、前記色要素変換処理において、前記方向軸ごとに、前記解析値の最大値および最小値の範囲を、対応する色空間座標軸の色要素値の範囲に対応させるための変換情報を算出し、前記変換情報にもとづいて前記解析値を前記色要素値に変換する。そして、前記色表示データ作成処理において作成された前記画像データ上でマウスなどのポインティングデバイス等により特定された位置の色要素値（ＲＧＢ値）を取得し、取得した前記色要素値からＸＹＺ軸ごとの値を取り出し、前記変換情報を用いて前記取り出した値から前記特定位置の解析結果の概算値を算出し、前記解析概算値を表示装置に表示する。
【００２１】
本発明によれば、解析値を数値表示するためのデータを保持する必要がなく、データ保持の負担および保持したデータから該当する解析値を抽出する処理負担を軽減して、迅速に解析結果の概算値を表示させることが可能となる。
【００２２】
なお、本発明にかかるプログラムは、コンピュータが読み取り可能な、可搬媒体メモリ、半導体メモリ、ハードディスクなどの適当な記録媒体に格納することができ、これらの記録媒体に記録して提供され、または、通信インタフェースを介して種々の通信網を利用した送受信により提供される。
【００２３】
【発明の実施の形態】
以下に、本発明の実施の形態を説明する。本実施の形態では、ある解析対象物に対するシミュレーション結果や解析結果として、３次元空間のＸＹＺ軸の３方向の解析値を持つ解析情報を可視化する場合に、３つの解析値を、ＲＧＢ値で定義される色空間の各座標軸（ＲＧＢ軸）に割り当て、各解析値から変換した色要素値をもとに１つの画像データで色表示するものとする。
【００２４】
図１に、本発明の実施の一形態における構成例を示す。解析結果可視化処理装置１は、解析データ入力手段１１、色要素変換手段１２、色表示データ作成手段１３、ＲＧＢ値取得手段１４、解析概算値算出手段１５、解析概算値表示処理手段１６を備える。
【００２５】
解析データ入力手段１１は、解析対象物の形状情報、および他のシミュレーション装置や解析処理装置での処理結果である方向性をもつ解析情報を入力する手段である。
【００２６】
なお、解析対象物の形状情報および解析情報は、予め記憶装置２２に記憶されていてもよく、また、データ送受信手段（図示しない）により他の処理装置から受信して入力してもよい。
【００２７】
図２に、可視化処理の対象となる解析対象物の例を示す。解析対象物の形状は、複数の節点Ｎ１、Ｎ２、…で構成される複数のポリゴンＰ１、Ｐ２、…で定義される。
【００２８】
解析データ入力手段１１は、図２に示すような解析対象物の形状情報として、ポリゴンデータおよび節点座標値データを読み込み、データテーブルに格納する。
【００２９】
図３に、形状情報を格納するデータテーブルの例を示す。図３（Ａ）に示すポリゴンデータテーブル３１は、解析対象物を構成するポリゴンＰを定義する節点Ｎの構成に関する情報が格納されるデータテーブルである。図３（Ｂ）に示す節点座標値テーブル３２は、ポリゴンＰを構成する各節点ＮのＸＹＺ軸の各座標値が格納されるデータテーブルである。
【００３０】
また、解析データ入力手段１１は、ユーザが可視化させたいシミュレーション結果などを選択すると、入力装置２１で入力されたその選択情報にもとづいて該当する解析情報を読み込み、解析結果読込テーブル３３に格納する。
【００３１】
図４に、解析結果読込テーブル３３の例を示す。解析結果読込テーブル３３は、図２の解析対象物の節点Ｎごとに、Ｘ軸方向の解析値（σｘ（Ｕｘ））、Ｙ軸方向の解析値（σｙ（Ｕｙ））、およびＺ軸方向の解析値（σｚ（Ｕｚ））の３方向の解析値が格納されるデータテーブルである。
【００３２】
色要素変換手段１２は、解析情報の各方向軸（ＸＹＺ軸）を、所定の色空間座標軸（例えば、ＲＧＢ軸）に割り当て、解析結果読込テーブル３３に格納された各節点Ｎの解析値を色要素値すなわち対応する色空間座標軸の階調値（例えば、０〜２５５）に変換する手段である。
【００３３】
具体的には、解析結果読込テーブル３３から、方向軸ごとに、解析値の最大値および最小値を取得して最大値・最小値テーブル３４を作成する。さらに、ＸＹＺ軸の３方向をそれぞれＲＧＢ軸に割り当て、最大値と最小値の範囲を、各色空間座標軸の階調へ変換処理するための情報（変換情報）として、単位階調あたりの数値（単位ピッチ）を算出し、単位ピッチを設定したピッチ幅テーブル３５を作成する。ここでは、「単位ピッチ＝（最大値−最小値）／２５６」とする。
【００３４】
図５（Ａ）に最大値・最小値テーブル３４の例を、図５（Ｂ）にピッチ幅テーブル３５の例を示す。
【００３５】
例えば、図４に示す解析結果読込テーブル３３において、Ｘ軸方向の解析値σｘ（Ｕｘ）について、節点Ｎｍの解析値（＝１０．２０）が最大値、節点Ｎ１の解析値（＝−１．２０）が最小値であるとき、色要素変換手段１２は、解析結果読込テーブル３３から最大値（１０．２０）および最小値（−１．２０）を抽出し、最大値・最小値テーブル３４を作成する。
【００３６】
また、色要素変換手段１２は、最大値・最小値テーブル３４から取得した最大値および最小値の差分（＝１１．４０）をもとに、Ｘ軸方向の解析値σｘ（Ｕｘ）からＲ軸の階調への単位ピッチ（＝０．０４４５３１）を算出し、算出された単位ピッチを格納するピッチ幅テーブル３５を作成する。
【００３７】
さらに、Ｙ軸方向の解析値σｙ（Ｕｙ）およびＺ軸方向の解析値σｚ（Ｕｚ）についても、同様に単位ピッチを算出してピッチ幅テーブル３５に格納する。
【００３８】
その後、色要素変換手段１２は、ピッチ幅テーブル３５に格納されたＲＧＢ軸の各軸の単位ピッチ（ピッチ幅）にもとづいて解析結果読込テーブル３３の各節点Ｎの３つの解析値をＲＧＢ値へ変換する。そして、ＲＧＢ値を正規化してＲＧＢ値正規化テーブル３６に格納する。ここで、各節点Ｎの解析値からＲＧＢ値への変換は、「（各節点の解析値−最小値）／単位ピッチ」で変換し、変換値を整数化して正規化する。なお、最小値＝０、最大値＝２５５に補正する。
【００３９】
図６に、ＲＧＢ値正規化テーブル３６の例を示す。ＲＧＢ値正規化テーブル３６は、解析対象物の各節点Ｎの３つの解析値を変換し正規化したＲ、Ｇ、Ｂの各値（階調値）が格納されるデータテーブルである。
【００４０】
例えば、図４に示す解析結果読込テーブル３３の解析値σｘ（Ｕｘ）について、節点Ｎ２の解析値をピッチ幅テーブル３５に格納された単位ピッチを用いて変換・正規化された「７６」が格納される。なお、節点Ｎ１の解析値（最小値）については補正された「０（最小値）」が、節点Ｎｍの解析値（最大値）については補正された「２５５（最大値）」が格納される。
【００４１】
色表示データ作成手段１３は、ポリゴンデータテーブル３１および節点座標値テーブル３２をもとに解析対象物の形状と、ＲＧＢ値正規化テーブル３６の節点ＮのＲＧＢ値をもとに合成した色とを記述した画像データを生成する手段である。
【００４２】
具体的には、画像データは、ＯｐｅｎＧＬなどの３次元グラフィックス用プログラムインタフェースを利用して記述され、この画像データにもとづいて表示装置２３に選択された解析結果（シミュレーション結果）が色表示される。
【００４３】
図６に示すＲＧＢ値正規化テーブル３６において、解析対象物の節点Ｎ１のＲＧＢ値＝０，０，０である。よって、表示装置２３上の表示画面では、解析対象物の節点Ｎ１は黒色で表現される。また、節点Ｎ３のＲＧＢ値＝９４，９８，１４２であるから、解析対象物の節点Ｎ３は青みが強い色で表現される。また、節点Ｎｍ−１のＲＧＢ値＝２５３，２５５，２５５であるから、解析対象物の節点Ｎｍ−１は、ほぼ白色で表現される。
【００４４】
さらに、色表示データ作成手段１３は、生成した画像データと画像データの生成に用いたピッチ幅テーブル３５とを対応づけて出力する。出力された画像データおよびピッチ幅テーブル３５は、記憶装置２２や他の記憶媒体に格納され、またはデータ送受信手段により他の処理装置（図示しない）へ送信される。
【００４５】
ＲＧＢ値取得手段１４は、表示装置２３に描画された画像データ上でマウスなどのポインティング可能な入力装置２１によりある位置が選択されると、画像データから選択された位置のＲＧＢ値を取得する手段である。
【００４６】
解析概算値算出手段１５は、ＲＧＢ値取得手段１４により取得された画像データの特定位置のＲＧＢ値からＸＹＺ軸の各方向軸の値を抽出し、対応するピッチ幅テーブル３５の単位ピッチを用いて、抽出した各方向の値から解析対象物の特定位置の３つの解析結果の概算値（解析概算値）を算出する手段である。
【００４７】
解析概算値表示処理手段１６は、解析概算値算出手段１５により算出された解析概算値を数値で表示する手段である。
【００４８】
図７に解析情報の色表示および解析概算値の数値表示の例を示す。
【００４９】
図７（Ａ）に示すように、ポリゴンで表現された解析対象物の形状と、ＸＹＺ軸の３方向の解析値から変換されたＲＧＢ値で表現される色とにより、表示装置２３で解析結果の色表示がなされる。
【００５０】
ここで、図７（Ａ）に示す色表示画面上においてマウスによりある位置が選択されると、図７（Ｂ）に示すように、表示装置２３の色表示画面上のツールチップやポップアップなどの表示領域に、選択された位置のＲＧＢ値から逆変換された解析概算値が表示される。
【００５１】
以下に、本発明の処理の流れの概要を説明する。
【００５２】
図８に、解析情報の可視化処理の処理フローチャートを示す。
【００５３】
解析データ入力手段１１は、表示する解析対象物の形状情報を読み込み（ステップＳ１１）、表示するシミュレーション結果についての選択情報を入力して（ステップＳ１２）、シミュレーション結果の解析情報を解析結果読込テーブル３３に読み込む（ステップＳ１３）。
【００５４】
次に、色要素変換手段１２は、解析結果読込テーブル３３をサーチし、各方向の最大値および最小値を取得し、最大値・最小値テーブル３４を作成する（ステップＳ１４）。さらに、３次元空間の各方向軸を各色空間座標軸に対応させて（ステップＳ１５）、方向軸ごとに解析値の最大値−最小値（差分）を算出し、解析値を色要素値（ＲＧＢ値）へ変換するための変換情報（単位ピッチ）を求め（ステップＳ１６）、算出した変換情報により変換された色要素値を整数化により正規化して、ＲＧＢ値正規化テーブル３６を作成する（ステップＳ１７）。
【００５５】
そして、各方向ごとに全節点Ｎに対する処理が終了するまで（ステップＳ１８）、ステップＳ１７の処理を繰り返す。さらに、全方向に対する処理が終了するまで（ステップＳ１９）、ステップＳ１６およびステップＳ１７の処理を繰り返す。
【００５６】
続いて、色表示データ作成手段１３は、ポリゴンＰの節点Ｎの座標値、および節点ＮごとのＲＧＢ値をＯｐｅｎＧＬに渡して解析対象物の形状と色を記述する（ステップＳ１１０）。解析対象物の全ポリゴンＰについて形状および色の記述が終了するまで（ステップＳ１１１）、ステップＳ１１０の処理を繰り返す。
【００５７】
その後、シミュレーション結果の変更があれば（ステップＳ１１２）、ステップＳ１２の処理へ戻り、シミュレーション結果の変更がなければ処理を終了する。
【００５８】
図９に、解析概算値の表示処理の処理フローチャートを示す。
【００５９】
ＲＧＢ値取得手段１４は、解析情報の色表示の表示画面上においてマウスにより特定された位置のＲＧＢ値を取り出す（ステップＳ２１）。
【００６０】
次に、解析概算値算出手段１５は、取り出したＲＧＢ値から、ＲＧＢ値に対応する各方向の値を取り出し（ステップＳ２２）、対応する変換情報（単位ピッチ）を用いて、取り出した各方向の値から解析概算値を算出する（ステップＳ２３）。全方向に対する処理が終了するまで（ステップＳ２４）、ステップＳ２３の処理を繰り返す。
【００６１】
解析概算値表示処理手段１６は、全方向に対する処理が終了したら、解析対象物の色表示画面上に各方向の解析概算値を表示する（ステップＳ２５）。
【００６２】
その後、解析概算値を表示させたい位置の選択が終了するまで（ステップＳ２６）、ステップＳ２１〜ステップＳ２５の処理を繰り返し、位置の選択が終了したら、処理を終了する。
【００６３】
以上、本発明をその実施の形態により説明したが、本発明はその主旨の範囲において種々の変形が可能である。
【００６４】
例えば、本発明の実施の形態では、解析情報の解析値を変換する色空間座標値として、ＲＧＢ系の色空間数値モデルを用いた処理の例を説明したが、ＨＳＶ系、ＨＬＳ系など画像データの色表示に適用できる３以上の座標軸で定義される色空間数値モデルの色空間座標軸を用いることができる。
【００６５】
また、本発明を実現する解析結果可視化処理装置１の処理手段の構成例として、図１に示すような構成をとる場合を例に説明したが、解析結果可視化処理装置１と同様の解析データ入力手段１１、色要素変換手段１２および色表示データ作成手段１３、ならびに処理装置１ｂに画像データおよびピッチ幅テーブル３５を送信するデータ送信手段を備える処理装置１ａと、処理装置１ａから画像データおよびピッチ幅テーブル３５を受信するデータ受信手段および画像データを表示する表示手段、ならびに解析結果可視化処理装置１と同様のＲＧＢ値取得手段１４、解析概算値算出手段１５、解析概算値表示処理手段１６を備える処理装置１ｂとの組み合わせによっても実施することができる。
【００６６】
本発明の形態および実施例の特徴を列記すると以下のとおりである。
【００６７】
（付記１）  解析結果を色を用いて可視化する解析結果可視化処理を、コンピュータに実行させるためのプログラムであって、
解析対象物の形状情報および複数の方向を持つ解析情報を取得する解析情報取得処理と、
前記解析情報の各方向軸を所定の色空間座標軸に割り当て、前記解析情報の方向軸ごとに、前記解析情報の解析値を前記色空間座標軸の色要素値に変換する色要素変換処理と、
前記形状情報および前記色要素値を成分とする色を用いて、前記解析対象物の解析情報を色表示する画像データを作成する色表示データ作成処理とを、
コンピュータに実行させる
ことを特徴とする解析結果可視化処理プログラム。
【００６８】
（付記２）  前記付記１に記載の解析結果可視化処理プログラムにおいて、
前記解析情報取得処理では、３次元空間の方向軸ごとの解析値を持つ解析情報を取得する処理を、
前記色要素変換処理では、前記解析情報の前記方向軸を、ＲＧＢ値で定義される色空間数値化モデルの各色空間座標軸に割り当てる処理を、
コンピュータに実行させる
ことを特徴とする解析結果可視化処理プログラム。
【００６９】
（付記３）  前記付記１に記載の解析結果可視化処理プログラムにおいて、
前記色要素変換処理では、前記方向軸ごとに、前記解析値の最大値および最小値の範囲を、対応する色空間座標軸の色要素値の範囲に対応させるための変換情報を算出し、前記変換情報にもとづいて前記解析値を前記色要素値に変換する処理を、
コンピュータに実行させる
ことを特徴とする解析結果可視化処理プログラム。
【００７０】
（付記４）  前記付記３に記載の解析結果可視化処理プログラムにおいて、
さらに、前記画像データ上で特定された位置の色要素値を取得し、前記色要素値から対応する方向軸の値を取り出し、前記変換情報を用いて、前記取り出した値から前記特定された位置の解析結果の概算値を算出する解析概算値算出処理と、
前記解析概算値を表示する解析概算値表示処理とを、
コンピュータに実行させる
ことを特徴とする解析結果可視化処理プログラム。
【００７１】
（付記５）  前記付記３に記載の解析結果可視化処理プログラムにおいて、
前記色表示データ作成処理では、前記画像データおよび前記変換情報とを対応づけて出力する処理を、
コンピュータに実行させる
ことを特徴とする解析結果可視化処理プログラム。
【００７２】
（付記６）  解析結果を色を用いて可視化する解析結果可視化処理を、コンピュータに実行させるためのプログラムであって、
解析対象物の形状情報、および複数の方向を持つ解析情報の各方向軸の解析値が所定の各色空間座標軸の色要素値に変換された色情報で記述された画像データと、前記解析値から色要素値への変換で用いた変換情報とを取得する画像データ取得処理と、
前記画像データを用いて解析情報を色表示する色表示データ作成処理とを、
コンピュータに実行させる
ことを特徴とする解析結果可視化処理プログラム。
【００７３】
（付記７）  前記付記６に記載の解析結果可視化処理プログラムにおいて、
前記画像データ上で特定された位置の色要素値を取得し、前記色要素値から前記方向軸ごとに取り出した値をもとに前記変換情報を用いて前記特定された位置の解析結果の概算値を算出する解析概算値算出処理と、
前記解析概算値を表示する解析概算値表示処理とを、
コンピュータに実行させる
ことを特徴とする解析結果可視化処理プログラム。
【００７４】
（付記８）  解析結果を色を用いて可視化する解析結果可視化処理方法であって、
解析対象物の形状情報および複数の方向を持つ解析情報を取得する解析情報取得処理過程と、
前記解析情報の各方向軸を所定の色空間座標軸に割り当て、前記解析情報の方向軸ごとに、前記解析情報の解析値を前記色空間座標軸の色要素値に変換する色要素変換処理過程と、
前記形状情報および前記色要素値を成分とする色を用いて、前記解析対象物の解析情報を色表示する画像データを作成する色表示データ作成処理過程とを備える
ことを特徴とする解析結果可視化処理方法。
【００７５】
（付記９）  解析結果を色を用いて可視化する解析結果可視化処理装置であって、
解析対象物の形状情報および複数の方向を持つ解析情報を取得する解析情報取得手段と、
前記解析情報の各方向軸を所定の色空間座標軸に割り当て、前記解析情報の方向軸ごとに、前記解析情報の解析値を前記色空間座標軸の色要素値に変換する色要素変換手段と、
前記形状情報および前記色要素値を成分とする色を用いて、前記解析対象物の解析情報を色表示する画像データを作成する色表示データ作成手段とを備える
ことを特徴とする解析結果可視化処理装置。
【００７６】
（付記１０）  解析結果を色を用いて可視化する解析結果可視化処理を、コンピュータに実行させるためのプログラムを記録した記録媒体であって、
解析対象物の形状情報および複数の方向を持つ解析情報を取得する解析情報取得処理と、
前記解析情報の各方向軸を所定の色空間座標軸に割り当て、前記解析情報の方向軸ごとに、前記解析情報の解析値を前記色空間座標軸の色要素値に変換する色要素変換処理と、
前記形状情報および前記色要素値を成分とする色を用いて、前記解析対象物の解析情報を色表示する画像データを作成する色表示データ作成処理とを、
コンピュータに実行させるためのプログラムを記録した
ことを特徴とする解析結果可視化処理プログラム記録媒体。
【００７７】
【発明の効果】
以上説明したように、本発明によれば、複数の方向を持つ解析結果を、各方向軸の解析値から変換した色要素値で定まる色により１つの画像データとして表示することが可能となる。これにより、解析結果の方向性をより容易に把握することができる。
【００７８】
また、本発明によれば、表示された画像データ上で特定された位置について、画像データの色要素値から逆変換した値をその特定位置の解析概算値として数値表示することが可能となる。これにより、解析値を数値表示するためのデータを保持することなく、解析結果の色表示中に、特定位置の解析値の代替としての解析概算値を迅速に確認することができる。
【図面の簡単な説明】
【図１】本発明の実施の一形態における構成例を示す図である。
【図２】可視化処理の対象となる解析対象物の例を示す図である。
【図３】形状情報を格納するデータテーブルの例を示す図である。
【図４】解析結果読込テーブルの例を示す図である。
【図５】最大値・最小値テーブルの例およびピッチ幅テーブルの例を示す図である。
【図６】ＲＧＢ値正規化テーブルの例を示す図である。
【図７】解析情報の色表示の例および解析概算値の数値表示の例を示す図である。
【図８】解析情報の可視化処理の処理フローチャートを示す図である。
【図９】解析概算値の表示処理の処理フローチャートを示す図である。
【符号の説明】
１  解析結果可視化処理装置
１１  解析データ入力手段
１２  色要素変換手段
１３  色表示データ作成手段
１４  ＲＧＢ値取得手段
１５  解析概算値算出手段
１６  解析概算値表示処理手段
２１  入力装置
２２  記憶装置
２３  表示装置
３１  ポリゴンデータテーブル
３２  節点座標値テーブル
３３  解析結果読込テーブル
３４  最大値・最小値テーブル
３５  ピッチ幅テーブル
３６  ＲＧＢ値正規化テーブル
【図１】
2004295293.tif 000003
【図２】
2004295293.tif 000004
【図３】
2004295293.tif 000005
【図４】
2004295293.tif 000006
【図５】
2004295293.tif 000007
【図６】
2004295293.tif 000008
【図７】
2004295293.tif 000009
【図８】
2004295293.tif 000010
【図９】
2004295293.tif 000011